(57)【特許請求の範囲】
【請求項１】
支持体内に配設されたランナーに、支持体に対し複数のパネルを回動可能にまたは横方向へ移動可能に吊下した支持機構部を設け、該支持機構部が備える昇降軸を介し、支持体に対し前記複数のパネルを同時に上下動可能に支持して、下動位置で床側に載置し得る固定状態と、上動位置でそのパネルの固定状態を解除し得る可動状態とを取り得るように、前記ランナーには、前記昇降軸を上下動駆動部により上下動させる上下動伝達部と、前記昇降軸を横方向へ移動させる移動伝達部と、前記昇降軸を回動させる回動伝達部とが組み込まれていることを特徴とするパネル装置。
【請求項２】
支持体内に配設されたランナーに、支持体に対し複数のパネルを回動可能にまたは横方向へ移動可能に吊下した支持機構部を設け、該支持機構部が備える昇降軸を介し、支持体に対し前記複数のパネルの下端部にそれぞれ設けた接床部材を同時に上下動可能に支持して、下動位置で床側に載置し得る固定状態と、上動位置でその接床部材の固定状態を解除し得る可動状態とを取り得るように、前記ランナーには、前記昇降軸を上下動駆動部により上下動させる上下動伝達部と、前記昇降軸を横方向へ移動させる移動伝達部と、前記昇降軸を回動させる回動伝達部とが組み込まれていることを特徴とするパネル装置。
【請求項３】
前記上下動駆動部は支持体に支持されて支持機構部の上下動伝達部に連動するように回動する駆動伝達軸を有し、前記支持機構部の上下動伝達部は前記上下動駆動部の駆動伝達軸と昇降軸との間に設けられていることを特徴とする請求項１または請求項２に記載のパネル装置。
【請求項４】
前記上下動駆動部は支持体に支持されて支持機構部の上下動伝達部に連動するように回動する駆動伝達軸を有し、前記支持機構部の上下動伝達部は昇降軸に対し一体回動可能で且つ昇降軸の軸心に沿って相対動可能な連動部を有していることを特徴とする請求項１または請求項２に記載のパネル装置。
【請求項５】
支持体内に配設されたランナーに、複数のパネルをそれぞれ吊下した昇降軸を鉛直軸心を中心にして回動可能に支持する同期回動機構を設けた縦型パネルルーバーにおいて、前記ランナーには、前記昇降軸を上下動駆動部により上下動させる上下動伝達部と、前記昇降軸を回動させることにより前記複数のパネルを同時に回動可能とする前記同期回動機構と、前記昇降軸を下動させることにより前記複数のパネルを同時に接床可能とし、且つ前記昇降軸を上動させることにより前記複数のパネルを同時に可動状態とする連動昇降機構とが組み込まれていることを特徴とする縦型パネルルーバー。
【請求項６】
支持体内に配設されたランナーに、複数のパネルをそれぞれ吊下した昇降軸を鉛直軸心を中心にして回動可能に支持する同期回動機構を設けた縦型パネルルーバーにおいて、前記複数のパネルの下端部にはそれぞれのパネルに対して相対的に上下動可能な接床部材を設け、前記ランナーには、前記昇降軸を上下動駆動部により上下動させる上下動伝達部と、前記昇降軸を回動させることにより前記複数のパネルを同時に回動可能とする前記同期回動機構と、前記昇降軸を下動させることにより前記複数のパネルにそれぞれ設けた接床部材を同時に接床可能とし、且つ前記昇降軸を上動させることにより前記複数のパネルにそれぞれ設けた接床部材を同時に可動状態とする連動昇降機構とが組み込まれていることを特徴とする縦型パネルルーバー。
【請求項７】
前記複数のパネルの全閉方向の回動に伴って同時に前記複数のパネルを下動させる連動接床機構、または、前記複数のパネルの全開方向の回動に伴って同時に前記複数のパネルを上動させる連動離床機構をさらに設けたことを特徴とする請求項５に記載の縦型パネルルーバー。
【請求項８】
前記複数のパネルの全閉方向の回動に伴って同時に前記複数の接床部材を下動させる連動接床機構、または、前記複数のパネルの全開方向の回動に伴って同時に前記複数の接床部材を上動させる連動離床機構をさらに設けたことを特徴とする請求項６に記載の縦型パネルルーバー。
【請求項９】
前記複数のパネルの全閉または全開の回動とは独立して動作可能で且つ同時に前記複数のパネルを上下動させる連動接離床機構をさらに設けたことを特徴とする請求項５に記載の縦型パネルルーバー。
【請求項１０】
前記複数のパネルの全閉又は全開の回動とは独立して動作可能で且つ同時に前記複数の接床部材を上下動させる連動接離床機構をさらに設けたことを特徴とする請求項６に記載の縦型パネルルーバー。
【請求項１１】
支持体内に配設されたランナーに、複数のパネルをそれぞれ吊下した昇降軸を走行可能に支持する走行機構を設けた移動間仕切装置において、前記ランナーには、前記昇降軸を上下動駆動部により上下動させる上下動伝達部と、前記昇降軸を横方向へ移動させることにより前記支持体としてのハンガーレールに沿って走行可能とする前記走行機構と、前記昇降軸を下動させることにより前記複数のパネルを同時に接床可能とし、且つ前記昇降軸を上動させることにより前記複数のパネルを同時に可動状態とする連動昇降機構とが組み込まれていることを特徴とする移動間仕切装置。
【請求項１２】
支持体内に配設されたランナーに、複数のパネルをそれぞれ吊下した昇降軸を走行可能に支持する走行機構を設けた移動間仕切装置において、前記複数のパネルの下端部にはそれぞれのパネルに対して相対的に昇降移動可能な接床部材を設け、前記ランナーには、前記昇降軸を上下動駆動部により上下動させる上下動伝達部と、前記昇降軸を横方向へ移動させることにより前記支持体としてのハンガーレールに沿って走行可能とする前記走行機構と、前記昇降軸を下動させることにより前記複数のパネルにそれぞれ設けた接床部材を同時に接床可能とし、且つ前記昇降軸を上動させることにより前記複数のパネルにそれぞれ設けた接床部材を同時に可動状態とする連動昇降機構とが組み込まれていることを特徴とする移動間仕切装置。
【発明の詳細な説明】
【技術分野】
【０００１】
本発明は縦型パネルルーバーや移動間仕切装置などのパネル装置に関するものである。
【背景技術】
【０００２】
従来、下記特許文献１で開示された縦型パネルルーバーは、ハンガーレール内を移動可能な複数の上部ランナーと、この上部ランナーにそれぞれ回動可能に吊下支持されるパネルと、下部レール内を移動可能であってこのパネルの下端部をそれぞれ支持する複数の下部ランナーとを備えている。ハンガーレールに対する走行と回動とを行う支持機構部がこの上部ランナーに組み込まれている。この下部ランナーによりパネルの横揺れを防止することができる。
【先行技術文献】
【特許文献】
【０００３】
【特許文献１】国際公開２００９−１３３６０９号公報
【発明の概要】
【発明が解決しようとする課題】
【０００４】
上記特許文献１では、パネルの収納時に下部レールが床面に突出するため、床面を通行したり清掃したりする際に邪魔になって支障を来たすおそれがあった。
また、窓に設置される縦型パネルルーバーでは、各パネルの下端部が自由に動き得るので、その下端部に沿って生じる隙間から光が漏れたり空調による風で揺れたりするおそれがあった。
【０００５】
この発明は、バリアフリーの床を形成するために従来の下部レールをなくしてもパネルの横揺れを防止することができる縦型パネルルーバーや移動間仕切装置などのパネル装置を提供することを目的としている。また、窓に設置される縦型パネルルーバーにおいて、光漏れや風揺れを防止することも目的としている。
【課題を解決するための手段】
【０００６】
後記実施形態の図面（図１及び図２，３に示す第１実施形態、図４に示す第２実施形態、図５に示す第３実施形態、図６及び図７に示す第４実施形態、図８に示す第５実施形態、図９に示す第６実施形態）の符号を援用して本発明を説明する。
【０００７】
請求項１の発明にかかるパネル装置は、第１〜３実施形態に対応し、下記のように構成されている。
支持体１内に配設されたランナー５に、支持体１に対し複数のパネル４を回動可能にまたは横方向へ移動可能に吊下した支持機構部２を設け、該支持機構部２が備える昇降軸３を介し、支持体１に対し複数のパネル４を同時に上下動可能に支持して、下動位置で床Ｆ側に載置し得る固定状態Ｐと、上動位置でそのパネル４の固定状態Ｐを解除し得る可動状態Ｑとを取り得るように、ランナー５には、昇降軸３を上下動駆動部１８により上下動させる上下動伝達部８と、昇降軸３を横方向へ移動させる移動伝達部６と、昇降軸３を回動させる回動伝達部７とが組み込まれている。請求項１の発明では、支持機構部２に組み込んだ昇降軸３を作動させるだけの簡単な構造で、パネル４を床Ｆ側に固定した固定状態Ｐにすることにより、パネル４の横揺れを防止することができる。また、その固定状態Ｐを解除した可動状態Ｑにすることにより、支持体１に対しパネル４を回動させたり支持体１に沿って移動させたりすることができる。ちなみに、このパネル装置は、縦型パネルルーバーや移動間仕切装置なども含む。例えば窓に設置される縦型パネルルーバーの場合、パネル４の下端部に沿って生じる隙間を少なくして光漏れや風揺れを防止することができる。
【０００８】
請求項２の発明にかかるパネル装置は、第４〜６実施形態に対応し、下記のように構成されている。
支持体１内に配設されたランナー５に、支持体１に対し複数のパネル４を回動可能にまたは横方向へ移動可能に吊下した支持機構部２を設け、該支持機構部２が備える昇降軸２９を介し、支持体１に対し複数のパネル４の下端部にそれぞれ設けた接床部材３０を同時に上下動可能に支持して、下動位置で床Ｆ側に載置し得る固定状態Ｐと、上動位置でその接床部材３０の固定状態Ｐを解除し得る可動状態Ｑとを取り得るように、ランナー５には、昇降軸２９を上下動駆動部１８により上下動させる上下動伝達部８と、昇降軸２９を横方向へ移動させる移動伝達部６と、昇降軸２９を回動させる回動伝達部７とが組み込まれている。請求項２の発明では、支持機構部２に組み込んだ昇降軸２９を作動させるだけの簡単な構造で、接床部材３０を床Ｆ側に固定した固定状態Ｐにすることにより、パネル４の横揺れを防止することができる。また、その固定状態Ｐを解除した可動状態Ｑにすることにより、支持体１に対しパネル４を回動させたり支持体１に沿って移動させたりすることができる。ちなみに、このパネル装置は、縦型パネルルーバーや移動間仕切装置なども含む。例えば窓に設置される縦型パネルルーバーの場合、パネル４の下端部に沿って生じる隙間を少なくして光漏れや風揺れを防止することができる。
【００１０】
請求項１または請求項２の発明を前提とする請求項３の発明（第１，４実施形態に対応）において、前記上下動駆動部１８は支持体１に支持されて支持機構部２の上下動伝達部８に連動するように回動する駆動伝達軸１１を有し、前記支持機構部２の上下動伝達部８は、例えばカム機構部１９を有し、前記上下動駆動部１８の駆動伝達軸１１と昇降軸３，２９との間に設けられている。請求項３の発明では、簡単な上下動駆動部１８により上下動伝達部８に駆動伝達することができる。
【００１１】
請求項１または請求項２の発明を前提とする請求項４の発明（第２，３，５，６実施形態に対応）において、前記上下動駆動部１８は支持体１に支持されて支持機構部２の上下動伝達部８に連動するように回動する駆動伝達軸１０を有し、前記支持機構部２の上下動伝達部８は昇降軸３，２９に対し一体回動可能で且つ昇降軸３，２９の軸心３ａ，２９ａに沿って相対動可能な連動部２３を有している。請求項４の発明では、簡単な上下動駆動部１８により上下動伝達部８に駆動伝達することができる。また、連動部２３で昇降軸３，２９の回動と上下動とを許容することができる。
【００１２】
請求項５の発明にかかる縦型パネルルーバーは、第１〜３実施形態に対応し、下記のように構成されている。
支持体１内に配設されたランナー５に、複数のパネル４をそれぞれ吊下した昇降軸３を同時に鉛直の軸心３ａを中心にして回動可能に支持する同期回動機構７，１４，８，１８を設けた縦型パネルルーバーにおいて、ランナー５には、昇降軸３を上下動駆動部１８により上下動させる上下動伝達部８と、昇降軸３を回動させることにより複数のパネル４を同時に回動可能とする同期回動機構７，１４，８，１８と、昇降軸３を下動させることにより複数のパネル４を同時に接床可能とし、且つ昇降軸３を上動させることにより複数のパネル４を同時に可動状態Ｑとする連動昇降機構７，１４，８，１８とが組み込まれている。請求項５の発明では、複数のパネル４を床Ｆ側に固定した固定状態Ｐにすることにより、複数のパネル４の横揺れを防止することができる。また、その固定状態Ｐを解除した可動状態Ｑにすることにより、支持体１に対し複数のパネル４を回動させたり支持体１に沿って移動させたりすることができる。例えば窓に設置される縦型パネルルーバーの場合、パネル４の下端部に沿って生じる隙間を少なくして光漏れや風揺れを防止することができる。ちなみに、窓に設置される縦型パネルルーバーの場合には、この床Ｆ側とは窓枠を含む広い意味に解釈する。
【００１３】
請求項６の発明にかかる縦型パネルルーバーは、第４〜６実施形態に対応し、下記のように構成されている。
支持体１内に配設されたランナー５に、複数のパネル４をそれぞれ吊下した昇降軸２９を同時に鉛直の軸心２９ａを中心にして回動可能に支持する同期回動機構７，１４，８，１８を設けた縦型パネルルーバーにおいて、前記複数のパネル４の下端部にはそれぞれのパネル４に対して相対的に上下動可能な接床部材３０を設け、ランナー５には、昇降軸２９を上下動駆動部１８により上下動させる上下動伝達部８と、昇降軸２９を回動させることにより複数のパネル４を同時に回動可能とする同期回動機構７，１４，８，１８と、昇降軸２９を下動させることにより複数のパネル４にそれぞれ設けた接床部材３０を同時に接床可能とし、且つ昇降軸２９を上動させることにより複数のパネル４にそれぞれ設けた接床部材３０を同時に可動状態Ｑとする連動昇降機構７，１４，８，１８とが組み込まれている。請求項６の発明では、複数の接床部材３０を床Ｆ側に固定した固定状態Ｐにすることにより、複数のパネル４の横揺れを防止することができる。また、その固定状態Ｐを解除した可動状態Ｑにすることにより、支持体１に対し複数のパネル４を回動させたり支持体１に沿って移動させたりすることができる。例えば窓に設置される縦型パネルルーバーの場合、パネル４の下端部に沿って生じる隙間を少なくして光漏れや風揺れを防止することができる。ちなみに、窓に設置される縦型パネルルーバーの場合には、この床Ｆ側とは窓枠を含む広い意味に解釈する。
【００１４】
請求項５の発明を前提とする請求項７の発明（第２，３実施形態に対応）において、前記複数のパネル４の全閉方向の回動に伴って同時に前記複数のパネル４を下動させる連動接床機構２３、または、前記複数のパネル４の全開方向の回動に伴って同時に前記複数のパネル４を上動させる連動離床機構２３をさらに設けた。請求項７の発明では、複数のパネル４の全閉方向の回動に伴って同時に複数のパネル４を下動または上動させることができる。
【００１５】
請求項６の発明を前提とする請求項８の発明（第５，６実施形態に対応）において、前記複数のパネル４の全閉方向の回動に伴って同時に前記複数の接床部材３０を下動させる連動接床機構２３、または、前記複数のパネル４の全開方向の回動に伴って同時に前記複数の接床部材３０を上動させる連動離床機構２３をさらに設けた。請求項８の発明では、複数のパネル４の全閉方向の回動に伴って同時に複数の接床部材３０を下動または上動させることができる。
【００１６】
請求項５の発明を前提とする請求項９の発明（第１実施形態に対応）において、前記複数のパネル４の全閉または全開の回動とは独立して動作可能で且つ同時に前記複数のパネル４を上下動させる連動接離床機構２３をさらに設けた。請求項９の発明では、複数のパネル４の全閉または全開の回動とは独立して複数のパネル４を同時に上下動させることができる。
【００１７】
請求項６の発明を前提とする請求項１０の発明（第４実施形態に対応）において、前記複数のパネル４の全閉又は全開の回動とは独立して動作可能で且つ同時に前記複数の接床部材３０を上下動させる連動接離床機構２３をさらに設けた。請求項１０の発明では、複数のパネル４の全閉または全開の回動とは独立して複数の接床部材３０を同時に上下動させることができる。
【００１８】
請求項１１の発明にかかる移動間仕切装置は、第１〜３実施形態に対応し、下記のように構成されている。
支持体１内に配設されたランナー５に、複数のパネル４をそれぞれ吊下した昇降軸３を走行可能に支持する走行機構６，１２を設けた移動間仕切装置において、ランナー５には、昇降軸３を上下動駆動部１８により上下動させる上下動伝達部８と、昇降軸３を横方向へ移動させることにより支持体１としてのハンガーレールに沿って走行可能とする走行機構６，１２と、昇降軸３を下動させることにより複数のパネル４を同時に接床可能とし、且つ昇降軸３を上動させることにより複数のパネル４を同時に可動状態Ｑとする連動昇降機構７，１４，８，１８とが組み込まれている。請求項１１の発明では、複数のパネル４を同時に接床可能とすることにより、複数のパネル４により部屋を間仕切りすることができるとともに、それらのパネル４の横揺れを防止することができる。また、その接床状態を解除した可動状態Ｑにすることにより、支持体１に対しパネル４を移動させることができる。
【００１９】
請求項１２の発明にかかる移動間仕切装置は、第４〜６実施形態に対応し、下記のように構成されている。
支持体１内に配設されたランナー５に、複数のパネル４をそれぞれ吊下した昇降軸２９を走行可能に支持する走行機構６，１２を設けた移動間仕切において、複数のパネル４の下端部にはそれぞれのパネル４に対して相対的に上下動可能な接床部材３０を設け、ランナー５には、昇降軸２９を上下動駆動部１８により上下動させる上下動伝達部８と、昇降軸２９を横方向へ移動させることにより支持体１としてのハンガーレールに沿って走行可能とする走行機構６，１２と、昇降軸２９を下動させることにより複数のパネル４にそれぞれ設けた接床部材３０を同時に接床可能とし、且つ昇降軸２９を上動させることにより複数のパネル４にそれぞれ設けた接床部材３０を同時に可動状態Ｑとする連動昇降機構７，１４，８，１８とが組み込まれている。請求項１２の発明では、複数の接床部材３０を同時に接床可能とすることにより、複数のパネル４により部屋を間仕切りすることができるとともに、それらのパネル４の横揺れを防止することができる。また、その接床状態を解除した可動状態Ｑにすることにより、支持体１に対しパネル４を移動させることができる。
【００２０】
次に、請求項以外の技術的思想について実施形態の図面の符号を援用して説明する。
請求項１の発明を前提とする第１４の発明（第１〜３実施形態に対応）において、前記昇降軸はパネル４を支持する吊下軸３である。第１４の発明では、既存の吊下軸３を昇降軸として利用した簡単な構造にすることができる。
【００２１】
請求項２の発明を前提とする第１５の発明（第４〜６実施形態に対応）において、前記昇降軸２９はパネル４を支持する支軸２８に貫通されている。第１５の発明では、パネル４を支持する支軸２８に昇降軸２９を貫通した簡単な構造にすることができる。
【００２２】
請求項４の発明を前提とする第１６の発明（第２，３，５，６実施形態に対応）において、前記上下動伝達部８の連動部２３は、昇降軸３，２９に対し回動可能で且つ昇降軸３，２９の軸心３ａ，２９ａに沿って相対動可能な第一連動体２５と、昇降軸３，２９に対し一体回動可能で且つ昇降軸３，２９の軸心３ａ，２９ａに沿って一体移動可能な第二連動体２６と、該第一連動体２５と第二連動体２６との間に設けた係合部２３ａ，２３ｂとを有し、前記昇降軸３，２９は第一連動体２５及び第二連動体２６に貫通され、第一連動体２５の回動に伴い、第二連動体２６が係合部２３ａ，２３ｂを介して回動し得るとともに第一連動体２５に対し昇降軸３，２９の軸心３ａ，２９ａに沿って接近離間し得る。第１６の発明では、簡単な構造の連動部２３で昇降軸３，２９の回動と上下動とを許容することができる。
【００２３】
請求項１〜４の発明のうちいずれか一つの発明を前提とする第１７の発明（第２，３，５，６実施形態に対応）において、前記支持機構部２は昇降軸３，２９の重量を受けるばね２４を備えている。第１７の発明では、パネル４の固定状態Ｐを解除した可動状態Ｑでもパネル４の横揺れをより一層防止することができる。
【００２４】
請求項５〜１０の発明のうちいずれか一つの発明を前提とする第１８の発明（第１〜６実施形態に対応）において、前記複数のパネル４に設けたランナー５のうち少なくとも先頭のパネル４に設けた先頭のランナー５をハンガーレール１に沿って走行可能に支持する走行機構６，１２をさらに備えた。第１８の発明では、走行機構６，１２により複数のパネル４を回動させるばかりでなくハンガーレール１に沿って走行させることができる。
【００２５】
請求項２，６，１２の発明のうちいずれか一つの発明を前提とする第１９の発明（第４〜６実施形態に対応）において、前記接床部材３０の幅寸法をパネル４の幅寸法とほぼ同一とした。すなわち、接床部材３０の幅方向両端部をパネル４の幅方向両端部に近接させた。第１９の発明では、例えば窓に設置される縦型パネルルーバーの場合、パネル４の下端部に沿って生じる隙間を少なくして光漏れや風揺れを防止することができる。
【発明の効果】
【００２６】
本発明は、縦型パネルルーバーや移動間仕切装置などのパネル装置において、バリアフリーの床Ｆを形成するために従来の下部レールをなくしてもパネル４の横揺れを防止することができる。また、窓に設置される縦型パネルルーバーにおいては、パネル４の下端部に沿って生じる隙間を少なくして光漏れや風揺れを防止することができる。また、移動間仕切装置においては、部屋を間仕切りした際にパネル４の横揺れを防止することができる。
【図面の簡単な説明】
【００２７】
【図１】（ａ）は第１実施形態にかかる縦型パネル装置においてハンガーレール内の支持機構部の吊下軸下動状態を示す断面図であり、（ｂ）は同じく吊下軸上動状態を示す断面図である。
【図２】（ａ）は第１実施形態において展開状態で閉じられて下動位置にあるパネルを示す正面図であり、（ｂ）は同じく展開状態で閉じられて上動位置にあるパネルを示す正面図であり、（ｃ）は同じく展開状態で開かれて上動位置にあるパネルを示す平面図である。
【図３】（ａ）は第１実施形態において展開状態で開かれて上動位置にあるパネルを示す正面図であり、（ｂ）は同じく折畳み状態で上動位置にあるパネルを示す正面図であり、（ｃ）は同じく折畳み状態で上動位置にあるパネルを示す平面図である。
【図４】（ａ）は第２実施形態にかかる縦型パネル装置においてハンガーレール内の支持機構部の吊下軸下動状態を示す断面図であり、（ｂ）は同じく吊下軸上動状態を示す断面図である。
【図５】（ａ）は第３実施形態にかかる縦型パネル装置においてハンガーレール内の支持機構部の吊下軸下動状態を示す断面図であり、（ｂ）は同じく吊下軸上動状態を示す断面図である。
【図６】（ａ）は第４実施形態にかかる縦型パネル装置においてハンガーレール内の支持機構部の吊下軸下動状態を示す断面図であり、（ｂ）は同じく吊下軸上動状態を示す断面図である。
【図７】（ａ）は第４実施形態において展開状態で閉じられて下動位置にあるパネルを示す正面図であり、（ｂ）は同じく展開状態で閉じられて上動位置にあるパネルを示す正面図である。
【図８】（ａ）は第５実施形態にかかる縦型パネル装置においてハンガーレール内の支持機構部の吊下軸下動状態を示す断面図であり、（ｂ）は同じく吊下軸上動状態を示す断面図である。
【図９】（ａ）は第６実施形態にかかる縦型パネル装置においてハンガーレール内の支持機構部の吊下軸下動状態を示す断面図であり、（ｂ）は同じく吊下軸上動状態を示す断面図である。
【発明を実施するための形態】
【００２８】
まず、本発明の第１実施形態にかかる縦型パネル装置について図１及び図２，３を参照して説明する。
図２，３に示すハンガーレール１（支持体）内には複数個（三個）の支持機構部２（２Ａ，２Ｂ，２Ｃ）がハンガーレール１の長手方向Ｘに沿って配設されている。各支持機構部２には吊下軸３が支持されている。各支持機構部２においてパネル４はハンガーレール１の下方で各吊下軸３の下端部に連結されている。
【００２９】
図１に示すように、各支持機構部２のうちハンガーレール１の一端部１ａ側の支持機構部２（２Ａ）において、幅方向Ｙの両側に走行輪５ａを有する走行台５（ランナー）には、走行台５を吊下軸３の軸心３ａ（鉛直な軸心）に直交するハンガーレール１の長手方向Ｘ（横方向）へ移動させる移動伝達部６（走行機構）と、吊下軸３をその軸心３ａを中心に回動させる回動伝達部７（同期回動機構）と、吊下軸３をその軸心３ａに沿う上下方向Ｚへ上下動させる上下動伝達部８（連動昇降機構）とがそれぞれ組み込まれている。ハンガーレール１の長手方向Ｘの両端部１ａ，１ｂ間には、支持機構部２（２Ａ）の移動伝達部６に連動する駆動伝達軸９と、支持機構部２（２Ａ）の回動伝達部７に連動する駆動伝達軸１０と、支持機構部２（２Ａ）の上下動伝達部８に連動する駆動伝達軸１１とがそれぞれ回動可能に支持されている。
【００３０】
走行駆動部１２（走行機構）において、移動伝達部６に連動する駆動伝達軸９は、ハンガーレール１の一端部１ａに取り付けられた電動モータ（図示せず）により回動する。この移動伝達部６においては、回動運動を直線運動に変換することができる連動部１３が駆動伝達軸９と走行台５との間に設けられている。この連動部１３としては、例えば、市販のスライドスクリューを採用している。このスライドスクリューでは、一対のブロックの両端面にリードに合わせて一定角度を付けたラジアルボールベアリングを複数組み込むとともに、両ブロック間に駆動伝達軸９を挿入し、その駆動伝達軸９を回動させると、ラジアルボールベアリングと駆動伝達軸９との摩擦により、走行台５が駆動伝達軸９の軸心９ａの方向へ送られてハンガーレール１に沿って移動するようになっている。ちなみに、このスライドスクリューでは、走行台５に過大な力が与えられると、走行台５と駆動伝達軸９との間に滑りが生じ得る。なお、走行台５側の雌ねじ部と駆動伝達軸９側の雄ねじ部とを互いに螺合させた雌雄ねじ機構により、駆動伝達軸９の回動に伴い走行台５を駆動伝達軸９の軸心９ａの方向へ送るようにしてもよい。
【００３１】
回動駆動部１４（同期回動機構）において、回動伝達部７に連動する駆動伝達軸１０は、ハンガーレール１の一端部１ａに取り付けられた電動モータ（図示せず）により回動する。この回動伝達部７においては、走行台５に対し回動可能に支持されたウォーム１５（歯車）のボス部１５ａが駆動伝達軸１０に対しその軸心１０ａを中心に一体回動可能に挿嵌されているとともにその軸心１０ａに沿って移動可能に挿嵌され、このウォーム１５に噛み合うウォームホイール１６（歯車）が吊下軸３に対しその軸心３ａを中心に回動可能に挿嵌されて走行台５に対し回動可能に支持されている。また、この回動伝達部７においては、このウォームホイール１６上に載置された連動部１７に吊下軸３が貫通されている。この連動部１７としては、例えば、市販のボールスプラインを採用している。このボールスプラインでは、回動運動と直線運動とを同時に行うことができ、ウォームホイール１６が回動すると、連動筒１７ａが回動して吊下軸３がその軸心３ａを中心に回動し、また、吊下軸３はその軸心３ａに沿って上下方向Ｚへ移動し得る。ちなみに、このウォームホイール１６と連動筒１７ａとは相対動抵抗体（図示せず）により互いに圧接され、それらの間に過大な力が与えられると、それらの間に滑りが生じ得る。
【００３２】
上下動駆動部１８（連動昇降機構）において、上下動伝達部８に連動する駆動伝達軸１１は、ハンガーレール１の一端部１ａに取り付けられた電動モータ（図示せず）により回動する。この上下動伝達部８においては、駆動伝達軸１１と吊下軸３との間にカム機構部１９が設けられている。このカム機構部１９においては、走行台５に対し回動可能に支持されたカム板２０のボス部２０ａが駆動伝達軸１１に対しその軸心１１ａを中心に一体回動可能に挿嵌されているとともにその軸心１１ａに沿って移動可能に挿嵌され、走行台５に対し上下方向Ｚへ傾動可能に支持された揺動レバー２１がこのカム板２０上に載置されている。また、吊下軸３の上端部がこの揺動レバー２１を貫通しているとともに、この吊下軸３の上端部に頭板２２が挿嵌されてこの揺動レバー２１上に載置され、吊下軸３がこの揺動レバー２１及び頭板２２に対し回動し得る。なお、このカム機構部１９に代えて他の上下動伝達部８例えばラック及びピニオンなどの歯車機構を採用してもよい。
【００３３】
図２，３に示すように、各支持機構部２のうちハンガーレール１の一端部１ａ側の支持機構部２（２Ａ）に対する反対側でハンガーレール１の他端部１ｂ側にある支持機構部２（２Ｃ）や、それらの支持機構部２（２Ａ），２（２Ｃ）間にある中間の支持機構部２（２Ｂ）においては、走行台５がハンガーレール１に対し長手方向Ｘへ移動可能になっているが、前記移動伝達部６が省略されている。
【００３４】
さて、図２（ａ）に示すように各パネル４が展開状態で互いに閉じられて下動位置にある固定状態Ｐでは、各支持機構部２（２Ａ，２Ｂ，２Ｃ）において、カム板２０が横向きに回動して揺動レバー２１が頭板２２とともに下動し、吊下軸３が連動部１７で下動する。従って、各パネル４がその重量で床Ｆに押し付けられて載置される。
【００３５】
各支持機構部２（２Ａ，２Ｂ，２Ｃ）において、カム板２０が上向きに回動すると、揺動レバー２１が頭板２２とともに上動し、吊下軸３が連動部１７で上動する。従って、図２（ｂ）に示すように、各パネル４が床Ｆから浮き上がって前記固定状態Ｐから解除され、展開状態で互いに閉じられて上動位置にある可動状態Ｑとなる。
【００３６】
各支持機構部２（２Ａ，２Ｂ，２Ｃ）において、ウォームホイール１６が回動すると、連動部１７を介して吊下軸３がその軸心３ａを中心に回動する。従って、図２（ｃ）及び図３（ａ）に示すように、各パネル４が前記可動状態Ｑで例えば９０度回動して展開状態で互いに開く。なお、各パネル４の回動角度は９０度に限らず３６０度の範囲で任意である。
【００３７】
各支持機構部２（２Ａ，２Ｂ，２Ｃ）のうちハンガーレール１の一端部１ａ側の支持機構部２（２Ａ）において走行台５がハンガーレール１の他端部１ｂ側へハンガーレール１に沿って移動して中間の支持機構部２（２Ｂ）に接近すると、図示しない連動部材により、それらの支持機構部２（２Ａ，２Ｂ）が同時に他端部１ｂ側へハンガーレール１に沿って移動する。さらに、両支持機構部２（２Ａ，２Ｂ）がハンガーレール１の他端部１ｂ側の支持機構部２（２Ｃ）に接近すると、図示しない連動部材により、それらの支持機構部２（２Ａ，２Ｂ，２Ｃ）が同時に他端部１ｂ側へハンガーレール１に沿って移動し、図３（ｂ）（ｃ）に示すように、各パネル４が前記可動状態Ｑで片側へ互いに接近して寄せられる。なお、図３（ｂ）（ｃ）に示す片寄せ動作と同時に図２（ｃ）及び図３（ａ）に示す回動動作を行わせてもよい。
【００３８】
逆に、支持機構部２（２Ａ）がハンガーレール１の一端部１ａ側へハンガーレール１に沿って移動すると、図示しない連動部材により、その支持機構部２（２Ａ）の移動途中で中間の支持機構部２（２Ｂ）も同時に一端部１ａ側へハンガーレール１に沿って移動する。さらに、両支持機構部２（２Ａ，２Ｂ）が同時にハンガーレール１の一端部１ａ側へハンガーレール１に沿って移動すると、図示しない連動部材により、それらの支持機構部２（２Ａ，２Ｂ）の移動途中でハンガーレール１の他端部１ｂ側の支持機構部２（２Ｃ）も同時に一端部１ａ側へハンガーレール１に沿って移動し、図２（ｃ）及び図３（ａ）に示すように各パネル４が展開状態で例えば９０度互いに開いた可動状態Ｑに戻る。その際、図２（ｃ）及び図３（ａ）に示す回動動作を同時に行わせてもよい。
【００３９】
さらに、各支持機構部２（２Ａ，２Ｂ，２Ｃ）において、カム板２０が横向きに回動すると、揺動レバー２１が頭板２２とともに下動し、吊下軸３が連動部１７で下動する。従って、図２（ａ）に示すように、各パネル４が展開状態で互いに閉じられて下動位置にある固定状態Ｐとなって、各パネル４がその重量で床Ｆに押し付けられて載置される。
【００４０】
次に、本発明の第２実施形態にかかる縦型パネル装置について第１実施形態との相違点を中心に図４を参照して説明する。
第１実施形態における上下動伝達部８のカム機構部１９や回動伝達部７の連動部１７に代えて、第２実施形態では回動伝達部７と上下動伝達部８とが一体的に設けられてウォームホイール１６上に連動部２３（連動接床機構、連動離床機構、連動接離床機構）が載置され、その連動部２３に貫通された吊下軸３の上端部が走行台５の上方へ突出されて吊下軸３の上端部と走行台５との間には吊下軸３の重量を受ける支持ばね２４（圧縮コイルばね）が介在されている。この連動部２３（山形クラッチ）は、ウォームホイール１６とともに回動する下板部２５（第一連動体）と、吊下軸３とともに回動する上板部２６（第二連動体）とを有している。この下板部２５と上板部２６との相対向部には互いに噛み合う山形の連動爪２３ａ（係合部）が形成されている。上板部２６上には吊下軸３に挿嵌された摩擦板２７が載置されている。
【００４１】
さて、図２（ａ）に示すように各パネル４が展開状態で互いに閉じられて下動位置にある固定状態Ｐでは、各支持機構部２（２Ａ，２Ｂ，２Ｃ）において、連動部２３で上板部２６が下板部２５上に載置され、摩擦板２７が上板部２６上で上下方向Ｚへ移動し得る。従って、各パネル４がその重量で床Ｆに押し付けられて載置される。
【００４２】
各支持機構部２（２Ａ，２Ｂ，２Ｃ）において、ウォームホイール１６が回動すると、連動部２３の下板部２５が回動して、連動部２３の上板部２６が連動爪２３ａを介して吊下軸３とともに回動しながら摩擦板２７とともに上動する。摩擦板２７が上板部２６により走行台５に挟持されると、摩擦板２７と上板部２６との間で滑りを生じながら、吊下軸３が上板部２６とともにさらに回動する。従って、図２（ｃ）及び図３（ａ）に示すように、各パネル４が床Ｆから浮き上がって前記固定状態Ｐから解除されるとともに例えば９０度回動して展開状態で互いに開く可動状態Ｑとなる。図３（ｂ）（ｃ）に示すように各パネル４が前記可動状態Ｑで片側へ互いに接近して寄せられる片寄せ動作や、図２（ｃ）及び図３（ａ）に示すように各パネル４が展開状態で例えば９０度互いに開いた可動状態Ｑに戻る動作は、第１実施形態の場合と同様である。
【００４３】
また、各支持機構部２（２Ａ，２Ｂ，２Ｃ）において、ウォームホイール１６が逆回動すると、連動部２３の下板部２５が逆回動して、連動部２３の上板部２６が連動爪２３ａを介して吊下軸３とともに逆回動しながら摩擦板２７とともに下動する。従って、図２（ａ）に示すように、各パネル４が展開状態で互いに閉じられて下動位置にある固定状態Ｐとなって、各パネル４がその重量で床Ｆに押し付けられて載置される。
【００４４】
次に、本発明の第３実施形態にかかる縦型パネル装置について第２実施形態との相違点を中心に図５を参照して説明する。
第２実施形態において連動部２３（連動接床機構、連動離床機構、連動接離床機構）の下板部２５と上板部２６と間で互いに噛み合う連動爪２３ａに代えて、下板部２５と吊下軸３との間には雌雄ねじ部２３ｂ（係合部）が形成されている。各支持機構部２（２Ａ，２Ｂ，２Ｃ）において、ウォームホイール１６が回動すると、連動部２３の下板部２５が回動して、吊下軸３が雌雄ねじ部２３ｂを介して連動部２３の上板部２６とともに回動しながら上動する。また、ウォームホイール１６が逆回動すると、連動部２３の下板部２５が逆回動して、吊下軸３が雌雄ねじ部２３ｂを介して連動部２３の上板部２６とともに逆回動しながら下動する。
【００４５】
次に、本発明の第４実施形態にかかる縦型パネル装置について第１実施形態との相違点を中心に図６及び図７を参照して説明する。
吊下軸３は、パネル４を支持する筒状の支軸２８のほかに、この支軸２８内に挿通された昇降軸２９を有している。パネル４の下端部には圧接ばね３２により床Ｆ側へ付勢された接床部材３０が支持され、パネル４内に収容された吊下リンク３１を介してこの接床部材３０が昇降軸２９に支持されている。この接床部材３０の幅方向寸法（横方向Ｘの寸法）をパネル４の幅方向寸法（横方向Ｘの寸法）とほぼ同一とし、接床部材３０の幅方向両端部をパネル４の幅方向両端部に近接させた。連動部１７においては、ウォームホイール１６が回動すると、連動筒１７ａが回動して吊下軸３の支軸２８が昇降軸２９とともに軸心２９ａを中心に回動し、また、吊下軸３の昇降軸２９が支軸２８に対しその軸心２９ａに沿って上下方向Ｚへ移動し得る。
【００４６】
さて、図７（ａ）に示すように各パネル４が展開状態で互いに閉じられた固定状態Ｐでは、各支持機構部２（２Ａ，２Ｂ，２Ｃ）において、カム板２０が横向きに回動して揺動レバー２１が頭板２２とともに下動し、吊下軸３の昇降軸２９が連動部１７で下動する。従って、支軸２８により支持されたパネル４内で吊下リンク３１のみが下動し、接床部材３０が圧接ばね３２により床Ｆに押し付けられて載置される。
【００４７】
各支持機構部２（２Ａ，２Ｂ，２Ｃ）において、カム板２０が上向きに回動すると、揺動レバー２１が頭板２２とともに上動し、吊下軸３が連動部１７で上動する。従って、図７（ｂ）に示すように、支軸２８により支持されたパネル４内で吊下リンク３１のみが上動し、接床部材３０が圧接ばね３２に抗して床Ｆから浮き上がって前記固定状態Ｐから解除され、展開状態で互いに閉じられて上動位置にある可動状態Ｑとなる。
【００４８】
次に、本発明の第５実施形態にかかる縦型パネル装置について第２実施形態との相違点を中心に図８を参照して説明する。
吊下軸３は、パネル４を支持する筒状の支軸２８のほかに、この支軸２８内に挿通された昇降軸２９を有している。山形クラッチである連動部２３（連動接床機構、連動離床機構、連動接離床機構）は、ウォームホイール１６及び吊下軸３の支軸２８とともに回動する下板部２５（第一連動体）と、吊下軸３の昇降軸２９とともに回動する上板部２６（第二連動体）とを有している。
【００４９】
さて、図７（ａ）に示すように各パネル４が展開状態で互いに閉じられた固定状態Ｐでは、各支持機構部２（２Ａ，２Ｂ，２Ｃ）において、連動部２３で上板部２６が下板部２５上に載置され、摩擦板２７が上板部２６上で上下方向Ｚへ移動し得る。従って、支軸２８により支持されたパネル４内で吊下リンク３１のみが下動し、接床部材３０が圧接ばね３２により床Ｆに押し付けられて載置される。
【００５０】
各支持機構部２（２Ａ，２Ｂ，２Ｃ）において、ウォームホイール１６が回動すると、連動部２３の下板部２５が吊下軸３の支軸２８とともに回動して、連動部２３の上板部２６が連動爪２３ａを介して吊下軸３の昇降軸２９とともに回動しながら摩擦板２７とともに上動する。摩擦板２７が上板部２６により走行台５に挟持されると、摩擦板２７と上板部２６との間で滑りを生じながら、吊下軸３の支軸２８及び昇降軸２９が上板部２６とともにさらに回動する。従って、支軸２８により支持されたパネル４内で吊下リンク３１のみが上動し、接床部材３０が圧接ばね３２に抗して床Ｆから浮き上がって前記固定状態Ｐから解除されるとともに例えば９０度回動して展開状態で互いに開く可動状態Ｑとなる。また、ウォームホイール１６が逆回動すると、連動部２３の下板部２５が逆回動して、吊下軸３の昇降軸２９が連動爪２３ａを介して連動部２３の上板部２６とともに逆回動しながら下動する。
【００５１】
次に、本発明の第６実施形態にかかる縦型パネル装置について第３実施形態との相違点を中心に図９を参照して説明する。
吊下軸３は、パネル４を支持する筒状の支軸２８のほかに、この支軸２８内に挿通された昇降軸２９を有している。雌雄ねじ部２３ｂ（係合部）を有する連動部２３（連動接床機構、連動離床機構、連動接離床機構）は、ウォームホイール１６及び吊下軸３の支軸２８とともに回動する下板部２５（第一連動体）と、吊下軸３の昇降軸２９とともに回動する上板部２６（第二連動体）とを有している。
【００５２】
さて、図７（ａ）に示すように各パネル４が展開状態で互いに閉じられた固定状態Ｐでは、各支持機構部２（２Ａ，２Ｂ，２Ｃ）において、連動部２３で上板部２６が下板部２５上に載置され、摩擦板２７が上板部２６上で上下方向Ｚへ移動し得る。従って、支軸２８により支持されたパネル４内で吊下リンク３１のみが下動し、接床部材３０が圧接ばね３２により床Ｆに押し付けられて載置される。
【００５３】
各支持機構部２（２Ａ，２Ｂ，２Ｃ）において、ウォームホイール１６が回動すると、連動部２３の下板部２５が吊下軸３の支軸２８とともに回動して、吊下軸３の昇降軸２９が雌雄ねじ部２３ｂを介して連動部２３の上板部２６及び吊下軸３の支軸２８とともに回動しながら上動する。従って、支軸２８により支持されたパネル４内で吊下リンク３１のみが上動し、接床部材３０が圧接ばね３２に抗して床Ｆから浮き上がって前記固定状態Ｐから解除されるとともに例えば９０度回動して展開状態で互いに開く可動状態Ｑとなる。また、ウォームホイール１６が逆回動すると、連動部２３の下板部２５が逆回動して、吊下軸３の昇降軸２９が雌雄ねじ部２３ｂを介して連動部２３の上板部２６とともに逆回動しながら下動する。
【００５４】
本実施形態は下記の効果を有する。
（１）  既存の吊下軸３を作動させるだけの簡単な構造で、パネル４の下端部または接床部材３０を床Ｆに押し付けた圧接状態で固定することにより、バリアフリーの床Ｆを形成するために従来の下部レールをなくしても、パネル４の横揺れを防止することができる。また、その圧接状態を解除すれば、ハンガーレール１に対しパネル４を回動させたりハンガーレール１に沿って移動させたりすることができる。
【００５５】
（２）  支持機構部２Ａにおいて、ハンガーレール１に沿って移動する走行台５に移動伝達部６と回動伝達部７と上下動伝達部８とをコンパクトに組み込むことができる。
（３）  支持機構部２Ａに対し簡単な各駆動部１２，１４，１８により各伝達部６，７，８に駆動伝達することができる。
【００５６】
（４）  連動部１７，２３で吊下軸３の回動と上下動とを許容することができる。
（５）  パネル４の圧接状態を解除しても、支持ばね２４によりパネル４の横揺れをより一層防止することができる。
【００５７】
前記実施形態以外にも例えば下記のように構成してもよい。
・  図示しないが、前述した各実施形態のパネル装置は、縦型パネルルーバーや移動間仕切装置などにも応用することができる。例えば窓に設置される縦型パネルルーバーの場合、パネル４の下端部に沿って生じる隙間を少なくして光漏れや風揺れを防止することができる。
【００５８】
・  ハンガーレール１に吊下するパネル４を一枚または二枚または四枚以上にすることができる。
・  前記各支持機構部２（２Ａ，２Ｂ，２Ｃ）において、支持機構部２Ｂ，２Ｃも図１，４，５や図６，８，９に示す支持機構部２Ａと同様に構成してもよい。その場合には、各支持機構部２Ａ，２Ｂ，２Ｃが互いに単独でハンガーレール１に沿って移動し得る。
【符号の説明】
【００５９】
１…ハンガーレール（支持体）、２（２Ａ，２Ｂ，２Ｃ）…支持機構部、３…吊下軸（昇降軸）、３ａ…軸心、４…パネル、５…走行台、６…移動伝達部、７…回動伝達部、８…上下動伝達部、９…走行駆動部の駆動伝達軸、１０…回動駆動部の駆動伝達軸、１１…上下動駆動部の駆動伝達軸、１２…走行駆動部、１４…回動駆動部、１７…回動伝達部の連動部、１８…上下動駆動部、１９…カム機構部、２３…回動伝達部及び上下動伝達部の連動部、２３ａ…連動爪（係合部）、２３ｂ…雌雄ねじ部（係合部）、２４…支持ばね、２５…下板部（第一連動体）、２６…上板部（第二連動体）、２８…吊下軸の支軸、２９…吊下軸の昇降軸、２９ａ…軸心、３０…接床部材、Ｆ…床、Ｐ…固定状態、Ｑ…可動状態。
【図１】
0005826468.tif 000002
【図２】
0005826468.tif 000003
【図３】
0005826468.tif 000004
【図４】
0005826468.tif 000005
【図５】
0005826468.tif 000006
【図６】
0005826468.tif 000007
【図７】
0005826468.tif 000008
【図８】
0005826468.tif 000009
【図９】
0005826468.tif 000010